(57)【特許請求の範囲】
【請求項１】
天板（１０）と前板（２０、３０）とからなるカーテンボックスにおいて、前記天板と前記前板は別体として形成し、前記天板の前面（１４）の上下端部を前方へ突出させてそれぞれ上下凸部（１１、１２）を形成し、前記上下凸部の間において、前記前面に後方に延長する深溝（１５）を形成し、前記前深溝の内側面に小凸部（１６）又は小凹部を形成し、前記前板の後面（２４）に前記上下凸部を上下に挟むように嵌合する上下凹部（２１、２２）をそれぞれ形成し、前記後面に前記深溝に奥深く挿入可能な結合手段（２５、３５）を設け、前記結合手段に前記小凸条又は前記小凹条と嵌合可能な小凹部（２６、３６）又は小凸部を形成したことを特徴とするカーテンボックス。
【請求項２】
結合手段は前板と一体に形成された長凸部（２５）であることを特徴とする請求項１記載のカーテンボックス。
【請求項３】
結合手段は板ばねを上下に折り返してなるアタッチメント（３５）であり、前記アタッチメントの上下端（３１、３２）は前板（３０）の上下凹部（２１、２２）に形成された上下筋溝（２７、２８）にそれぞれはめ込まれて前記前板に取り付けられることを特徴とする請求項１記載のカーテンボックス。
【発明の詳細な説明】
【０００１】
【発明の属する技術分野】
本発明はカーテンレールを内部に固定するカーテンボックスに関する。
【０００２】
【従来の技術】
従来の金属製又は合成樹脂製カーテンボックスは図５に示すように、厂字形の横断面を有し、カーテンレール３が内部内下面に固定される天板１と、そのカーテンレール３及びそのカーテンレールに吊されたカーテンの上縁部が前面に露出しないように覆う前板２とから構成され、その天板１と前板２とは一体に形成されていた。カーテンボックスの意匠を趣好によって変えるために前板にカバーを脱着可能に取り付け、そのカバーを交換して模様替えをしていた。
【０００３】
【発明が解決しようとする課題】
前板のカバーを取り替えることにより、色彩、模様等の変更は可能であるが、前板の表面形状、高さ等を変えることはできなかった。
本発明はこの問題を解決するためになされたものであり、その目的とするところは、前板の形状、高さ等も自由に変更することができるカーテンボックスを提供することにある。
【０００４】
【課題を解決するための手段】
前記目的を達成するため、本発明が採用する手段は、カーテンボックスの前板を天板とは別体とし、その前板を天板に容易に脱着することができるように形成したことにある。このため、合成樹脂製又は金属製天板の前面の上端部と下端部を前方に突出させて上凸部と下凸部を形成し、その上凸部と下凸部の間に後方に延長する深溝を設ける。同じく合成樹脂製又は金属製前板の後面に天板の前面の上凸部と下凸部をはめ込む上凹部と下凹部を形成し、その上凹部と下凹部の間に後方に延長して天板の深溝に挿入される長凸部を設ける。このとき、深溝と長凸部の一部に相互に嵌合する上下方向の小凸部と小凹部を設けることが望ましい。
【０００５】
又、前板に後方に延長する長凸部を設ける代わりに、前板に後方に延長するアタッチメントを脱着可能に取り付けてもよい。この場合、アタッチメントは挟み板ばね状に形成し、そのアタッチメントの上下に対向する両端をはめ込む上下筋溝を上凹部と下凹部に形成することが望ましい。
【０００６】
【発明の実施の形態】
本発明の実施の形態を図１及び図２に示す第１実施例に基づいて説明する。
カーテンボックスは略厂字形の横断面を有し、それぞれ別体の天板１０と前板２０からなる。天板１０と前板２０は共に合成樹脂成形品であり、天板１０の下面には２本のカーテンレール３が固定されている。天板１０の前端部１３はカーテンレールを固定する中央部分よりも上下幅が大きい前面１４を有する。前端部１３の上端及び下端を前方に少し突出させて上凸部１１及び下凸部１２を形成する。上凸部１１の直下の前面１４に後方に長く延長する深溝１５を形成し、その深溝１５の上向き面に突起状の小凸部１６を形成する。
【０００７】
前板２０の後面２４に天板１０の上凸部１１及び下凸部１２のはまる上凹部２１及び下凹部２２をそれぞれ形成する。上凹部２１の直下の後面２４から後方に延長して天板１０の深溝１５に奥深く突入する長凸部２５を形成し、その長凸部２５の下面に天板１０の小凸部１６が嵌合する小凹部２６を形成する。
図２に矢印で示すように、天板１０の深溝１５に前板２０の長凸部２５を押し込むと、長凸部２５の小凸部２６が深溝１５の開口幅を弾性的に少し拡げ、ついで、深溝１５の小凹部２６に嵌着する。すると、深溝１５は再び元の開口幅に戻る。このとき、前板２０の上下凹部２１、２２は天板１０の上下凸部１１、１２を上下から挟むように嵌着して深溝１５を締め付けるから、天板１０と前板２０は一体結合する。
【０００８】
前板２０を前方に強く引くと、前板２０の上下凹部２１、２２が天板１０の上下凸部１１、１２から外れ、深溝１５の開口幅が拡がり、長凸部２５の小凸部２６が深溝１５の小凹部１６から外れるので、前板２０は天板１０から分離する。このように、前板２０は天板１０に比較的容易に取り付け取り外しすることができる。したがって、外観には関係しない上下凹部、長凸部は同一であるが、外観に関係する形状、模様、色彩は異なる各種の前板を用意しておけば、カーテンボックスの外観を季節又は趣向に合わせて容易に変更することが可能となる。
【０００９】
又、従来のカーテンボックスは前板と天板が一体であったため、カーテンレールの天板への取り付け作業は、前板が邪魔になり必ずしも容易ではなかったが、本発明のカーテンボックスは、前板２０を取り外してカーテンレールを天板に取り付けることが可能であるから、カーテンレールの取り付け作業も至極容易になる。
【００１０】
【実施例】
図３及び図４に示す本発明の第２実施例について説明する。
カーテンボックスの天板１０は第１実施例のものと全く同じであり、その前端部１３には広幅の前面１４が、その前面１４の上下の下端縁には前方に突出する上下凸部１１、１２が、その凸部１１の下には深溝１５が、その深溝１５の上面中央付近には小凸部１６がそれぞれ形成される。
【００１１】
前板３０は長凸部がない点において、第１実施例のものとは異なるが、後面２４の上下端部に天板１０の上下凸部１１、１２のはまる上下凹部２１、２２を有する点においては第１実施例のものと同じである。前板３０の上凹部２１の上向き側面の根元と下凹部２２の下向き側面の根元にそれぞれ上下筋溝２７、２８を形成し、その上下筋溝２７、２８にアタッチメント３５の上下に対向する両端３１、３２をはめ込む。アタッチメント３５は全体として板ばねを折り返してＬ字形としたものであり、その折り返し部分３３は天板１０の深溝１５に奥深く挿入することができる長さを有し、その下側中央付近には天板１０の小凸部１６がはまる小凹部３６が形成される。前板３０に取り付けるアタッチメント３５の数は前板の長さに応じて適宜増減する。
【００１２】
始めに前板３０の上下筋溝２７、２８にアタッチメント３５の上下両端３１、３２を図４に示すようにはめて前板３０にアタッチメント３５を取り付ける。
次に、図４の矢印で示すように、アタッチメント３５の折り返し部３３を天板１０の深溝１５に押し込むと、天板１０の小凸部１６がアタッチメント３５の小凹部３６にはまる。このとき、天板１０の上下凸部１１、１２は前板３０の上下凹部２１、２２に上下から挟持されるように嵌着するから、深溝１５は開口幅が狭くなる。それにより、アタッチメント３５の折り返し部分３３の上下幅も小さくなるから、アタッチメント３５は前板３０を固く挟持し、図３に示すように、天板１０とアタッチメント３５と前板３０は一体結合する。
【００１３】
第２実施例のカーテンボックスも前板３５を容易に天板１０に脱着することができるから、カーテンボックスの外観を自由に変更することが可能である。
前記実施例は、小凸部を天板の深溝に、小凹部を長凸部又はアタッチメントに形成したが、小凸部を長凸部又はアタッチメントに、小凹部を天板の深溝に設けてもよい。
【００１４】
いずれの実施例においても、前板２０を天板１０から外した状態で天板１０にカーテンレールを取り付けると、至極容易にカーテンレールを天板に取り付けることができる。又、前板２０を天板１０から外した状態でカーテンレールのランナーにカーテンを取り付けると、至極容易にカーテンをカーテンボックスに取り付けることができる。
【００１５】
【発明の効果】
上記のとおり、本発明のカーテンボックスは、従来の天板と前板が一体であったものとは異なり、天板と前板をそれぞれ別体とし、前板を天板に容易に脱着できるようにしたから、前板を交換することにより、カーテンボックスの形状と高さを含めた外観を適宜変えることができるという優れた効果を奏する。
【００１６】
又、本発明のカーテンボックスは、前板を外した状態で、カーテンレールを天板に、カーテンをカーテンレールに、それぞれ取り付けることにより、従来よりもカーテン及びカーテンレールの取り付けが容易になるという格別な効果も得られる。
【図面の簡単な説明】
【図１】は本発明の第１実施例のカーテンボックスの側面図、
【図２】は図１のカーテンボックスの天板に前板を脱着する状態を示す図、
【図３】は第２実施例の図１に相当する図、
【図４】は第２実施例の天板に前板を脱着する状態を示す図、
【図５】は従来のカーテンボックスの側面図、
【符号の説明】
１：天板、２：前板、３：カーテンレール、１０：天板、１１：上凸部、１２：下凸部、１３：前端部、１４：前面、１５：深溝、１６：小凸部、２０：前板、２１：上凹部、２２：下凹部、２５：長凸部、２６：小凹部、２７：上筋溝、２８：下筋溝、３０：前板、３１：上端、３２：下端、３３：折り返し部、３５：アタッチメント、３６：小凹部。
【図１】
0003630255.tif 000002
【図２】
0003630255.tif 000003
【図３】
0003630255.tif 000004
【図４】
0003630255.tif 000005
【図５】
0003630255.tif 000006